(57)【要約】【課題】解像度が高いのは勿論のこと、像面湾曲を補正する能力が高く、非使用時の光学全長が短いズームレンズ系、並びにこれを備えた高性能な撮像装置及びカメラを提供すること。【解決手段】物体の光学的な像を変倍可能に形成し、物体側から像側へと順に、負のパワーを有する第１レンズ群と、正のパワーを有し、最像側レンズ素子として、樹脂材料からなり、両凸形状を有するレンズ素子を含む第２レンズ群と、正のパワーを有する第３レンズ群とを備え、各レンズ群の間隔が変化するように各レンズ群を光軸に沿ってそれぞれ移動させて変倍を行い、条件（１）：｜（Ｒ2mi1＋Ｒ2mi2）／（Ｒ2mi1−Ｒ2mi2）｜＜１．０（Ｒ2mi1：第２レンズ群の最像側レンズ素子の物体側の曲率半径、Ｒ2mi2：第２レンズ群の最像側レンズ素子の像側の曲率半径）を満足するズームレンズ系、撮像装置及びカメラ。【選択図】図１
2008185835.tif 000002
【特許請求の範囲】
【請求項１】
物体の光学的な像を変倍可能に形成するためのズームレンズ系であって、
物体側から像側へと順に、
負のパワーを有する第１レンズ群と、
正のパワーを有し、最像側レンズ素子として、樹脂材料からなり、両凸形状を有するレンズ素子を含む第２レンズ群と、
正のパワーを有する第３レンズ群とを備え、
各レンズ群の間隔が変化するように各レンズ群を光軸に沿ってそれぞれ移動させて変倍を行い、
以下の条件（１）を満足することを特徴とする、ズームレンズ系：
｜（Ｒ2mi1＋Ｒ2mi2）／（Ｒ2mi1−Ｒ2mi2）｜＜１．０    ・・・（１）
ここで、
Ｒ2mi1：第２レンズ群の最像側レンズ素子の物体側の曲率半径、
Ｒ2mi2：第２レンズ群の最像側レンズ素子の像側の曲率半径
である。
【請求項２】
以下の条件（２）を満足する、請求項１に記載のズームレンズ系：
（ＴG1＋ＴG2＋ＴG3）／ｆW＜２．７    ・・・（２）
（ただし、ωW＞３０°、３．０＜ｆT／ｆW＜４．０である）
ここで、
ＴG1：第１レンズ群の光軸上の厚み、
ＴG2：第２レンズ群の光軸上の厚み、
ＴG3：第３レンズ群の光軸上の厚み、
ωW：広角端における半画角、
ｆW：広角端における全系の焦点距離、
ｆT：望遠端における全系の焦点距離
である。
【請求項３】
第１レンズ群が、物体側から像側へと順に、
負のパワーを有する第１レンズ素子と、
正のパワーを有する第２レンズ素子と
からなる、請求項１に記載のズームレンズ系。
【請求項４】
以下の条件（３）を満足する、請求項３に記載のズームレンズ系：
０．３＜Ｔ1／ｆW＜１．３    ・・・（３）
（ただし、ωW＞３０°、３．０＜ｆT／ｆW＜４．０である）
ここで、
Ｔ1：第１レンズ素子と第２レンズ素子との間の空気間隔、
ωW：広角端における半画角、
ｆW：広角端における全系の焦点距離、
ｆT：望遠端における全系の焦点距離
である。
【請求項５】
以下の条件（４）を満足する、請求項３に記載のズームレンズ系：
−４．２＜（Ｒ12＋Ｒ21）／（Ｒ12−Ｒ21）＜−３．２    ・・・（４）
ここで、
Ｒ12：第１レンズ素子の像側の曲率半径、
Ｒ21：第２レンズ素子の物体側の曲率半径
である。
【請求項６】
以下の条件（５）を満足する、請求項３に記載のズームレンズ系：
ｎｄ2＞１．８８    ・・・（５）
ここで、
ｎｄ2：第２レンズ素子のｄ線における屈折率
である。
【請求項７】
第２レンズ群が、物体側から像側へと順に、
ガラス材料からなるレンズ素子Ａと、
ガラス材料からなるレンズ素子Ｂと、
樹脂材料からなるレンズ素子Ｃと
からなり、
以下の条件（６）を満足する、請求項１に記載のズームレンズ系：
２．０＜φA／φC＜３．５    ・・・（６）
ここで、
φA：レンズ素子Ａの近軸パワー、
φC：レンズ素子Ｃの近軸パワー
である。
【請求項８】
第２レンズ群が、物体側から像側へと順に、
ガラス材料からなるレンズ素子Ａと、
ガラス材料からなるレンズ素子Ｂと、
樹脂材料からなるレンズ素子Ｃと
からなり、
前記レンズ素子Ａ及びレンズ素子Ｃが、いずれも非球面を有し、
以下の条件（７）を満足する、請求項１又は７に記載のズームレンズ系：
０．１５＜φAa／φCa＜０．３０    ・・・（７）
ここで、
φAa：レンズ素子Ａの非球面の近軸パワー、
φCa：レンズ素子Ｃの非球面の近軸パワー
である。
【請求項９】
第３レンズ群が、ガラス材料からなる１枚のレンズ素子からなる、請求項１に記載のズームレンズ系。
【請求項１０】
被写体の光学的な像を電気的な画像信号に変換して出力可能な撮像装置であって、
前記被写体の光学的な像を変倍可能に形成するズームレンズ系と、
前記ズームレンズ系が形成した被写体の光学的な像を、電気的な画像信号に変換する撮像素子とを備え、
前記ズームレンズ系が、
被写体側である物体側から像側へと順に、
負のパワーを有する第１レンズ群と、
正のパワーを有し、最像側レンズ素子として、樹脂材料からなり、両凸形状を有するレンズ素子を含む第２レンズ群と、
正のパワーを有する第３レンズ群とを備え、
各レンズ群の間隔が変化するように各レンズ群を光軸に沿ってそれぞれ移動させて変倍を行い、
以下の条件（１）：
｜（Ｒ2mi1＋Ｒ2mi2）／（Ｒ2mi1−Ｒ2mi2）｜＜１．０    ・・・（１）
（ここで、
Ｒ2mi1：第２レンズ群の最像側レンズ素子の物体側の曲率半径、
Ｒ2mi2：第２レンズ群の最像側レンズ素子の像側の曲率半径
である）
を満足することを特徴とする、撮像装置。
【請求項１１】
被写体を撮影して、電気的な画像信号として出力可能なカメラであって、
前記被写体の光学的な像を変倍可能に形成するズームレンズ系と、該ズームレンズ系が形成した被写体の光学的な像を、電気的な画像信号に変換する撮像素子とを含む撮像装置を備え、
前記ズームレンズ系が、
被写体側である物体側から像側へと順に、
負のパワーを有する第１レンズ群と、
正のパワーを有し、最像側レンズ素子として、樹脂材料からなり、両凸形状を有するレンズ素子を含む第２レンズ群と、
正のパワーを有する第３レンズ群とを備え、
各レンズ群の間隔が変化するように各レンズ群を光軸に沿ってそれぞれ移動させて変倍を行い、
以下の条件（１）：
｜（Ｒ2mi1＋Ｒ2mi2）／（Ｒ2mi1−Ｒ2mi2）｜＜１．０    ・・・（１）
（ここで、
Ｒ2mi1：第２レンズ群の最像側レンズ素子の物体側の曲率半径、
Ｒ2mi2：第２レンズ群の最像側レンズ素子の像側の曲率半径
である）
を満足することを特徴とする、カメラ。
【発明の詳細な説明】
【技術分野】
【０００１】
本発明はズームレンズ系、撮像装置及びカメラに関する。特に本発明は、解像度が高いのは勿論のこと、像面湾曲を補正する能力が高く、非使用時の光学全長が短いズームレンズ系、並びに該ズームレンズ系を備えた、薄型で携帯性に優れ、高性能な撮像装置及びカメラに関する。
【背景技術】
【０００２】
従来、レンズを介して撮像素子上に被写体の像を形成し、像を画像として取り込む光学機器が多く開発されている。最近ではデジタルスチルカメラ、デジタルビデオカメラといった製品が普及し、使用者数の増大とともに、これら製品への要望も大きくなってきている。各種製品形態のうち、３倍程度のズーム比を有する光学機器は、比較的小型でありながら、光学ズーム機能も持ち合わせており、コンパクトタイプ、スタイリッシュタイプという区分のデジタルカメラとして、特に普及度が高い。
【０００３】
前記コンパクトタイプのデジタルカメラに対しては、持ち運びを容易にするために、機器のさらなる小型化が求められる。デジタルカメラのさらなる小型化を実現するためには、非使用時の光学全長（レンズ系全体の最も物体側のレンズ面の頂点から像面までの距離）を短くし、使用時に多段鏡筒で本体よりも前に飛び出したレンズ素子を本体に収納し得るレンズ配置とすることが必要である。また、普及度の高いデジタルカメラは、低コスト化も望まれる。
【０００４】
ところで、コンパクトタイプのデジタルスチルカメラに適したズームレンズ系としては、例えば、物体側から像側へと順に、負パワーの第１レンズ群と、正パワーの第２レンズ群と、正パワーの第３レンズ群とが配置された３群構成のズームレンズ系が数多く提案されている。
【０００５】
前記のごとき３群構成のズームレンズ系は、広角端から望遠端へのズーミング（変倍）に際して、第１レンズ群と第２レンズ群との間の空気間隔が単調減少し、第２レンズ群と第３レンズ群との間の空気間隔が変化し、第３レンズ群は固定又は移動するように構成されている。
【０００６】
３群構成のズームレンズ系におけるフォーカス調整は、第１レンズ群又は第３レンズ群を光軸方向に移動させて行う。特に光学機器全体の小型化を図るために、フォーカス調整は軽量な第３レンズ群で行われることが多く、無限から近距離の被写体にフォーカスを合わせる。一方第１レンズ群にてフォーカス調整を行う場合には、かかる第１レンズ群は第３レンズ群よりも大きいため、大型モータが必要とされ、光学機器全体も大型化する傾向がある。
【０００７】
前記正パワーの第３レンズ群は、通常像面湾曲を補正したり、撮像面への入射光をテレセントリックにする作用を呈する。また第３レンズ群は、外径が小さい１〜２枚のレンズ素子によって構成されていることが多く、小型モータを用いて高速駆動させることが可能である。したがって、第３レンズ群をフォーカス調整用のレンズ群とすると、小型で短時間の合焦が可能な光学機器とすることができる。
【０００８】
第１レンズ群及び第２レンズ群は、円筒カムに切られたカム溝に沿って、いずれも光軸を平行に移動する。カム溝に、ズーミングのための溝と非使用時のための溝とを繋げ、非使用時の溝は各レンズ群同士の間隔を狭め、かつ３つのレンズ群すべてを撮像素子側に寄せる構成をとることで、非使用時の光学全長を短くすることが可能となる。この場合、各レンズ群の厚みが小さければ、非使用時の光学全長をさらに短くすることができる。
【０００９】
このように、従来はズームレンズ系を前記のごとき構成とし、非使用時のレンズ系全体の小型化を図り、デジタルスチルカメラの光学全長を短くし、また低コスト化を図る工夫がなされていた。
【００１０】
例えば特許文献１には、物体側から像側へと順に、負パワーレンズ及び正パワーレンズで構成された負パワーの第１レンズ群と、凸レンズと凹レンズとの接合レンズ及び単レンズで構成された正パワーの第２レンズ群と、正パワーの第３レンズ群とからなる３群ズームレンズが開示されている。かかる３群ズームレンズでは、第１レンズ群と第２レンズ群とに非球面を用いており、また第２レンズ群の単レンズと、第３レンズ群に合成樹脂レンズを用いることで、収差を良好に補正しつつ、各レンズ厚みを小さく抑え、光学系の小型化と低コスト化を図っている。
【特許文献１】特開２００６−１０８９５号公報
【発明の開示】
【発明が解決しようとする課題】
【００１１】
しかしながら、前記特許文献１に開示された３群ズームレンズの構成では、第１レンズ群の像側の正パワーレンズが低い屈折率で、しかも球面レンズであるため、像面湾曲の補正が不充分であるという問題がある。
【００１２】
また、前記特許文献１に開示の３群ズームレンズのように、小型化を図るために第１レンズ群の焦点距離を短めに設定した場合、レンズの径方向は比較的小さくできるものの、第１レンズ群を２枚のレンズで構成すると、物体側レンズのパワーが強くなり、さらに色収差を補正するために像側レンズの厚みも大きくなってしまう。その結果、非使用時の光学全長が長くなるという問題が生じる。
【００１３】
本発明は、背景技術における前記課題を解決するためになされたものであり、解像度が高いのは勿論のこと、像面湾曲を補正する能力が高く、非使用時の光学全長が短いズームレンズ系、並びにこれを備えた、薄型で携帯性に優れた高性能な撮像装置及びカメラを提供することを目的とする。
【課題を解決するための手段】
【００１４】
前記目的は、以下のズームレンズ系により達成される。すなわち本発明のズームレンズ系は、
物体の光学的な像を変倍可能に形成するためのズームレンズ系であって、
物体側から像側へと順に、
負のパワーを有する第１レンズ群と、
正のパワーを有し、最像側レンズ素子として、樹脂材料からなり、両凸形状を有するレンズ素子を含む第２レンズ群と、
正のパワーを有する第３レンズ群とを備え、
各レンズ群の間隔が変化するように各レンズ群を光軸に沿ってそれぞれ移動させて変倍を行い、
以下の条件（１）：
｜（Ｒ2mi1＋Ｒ2mi2）／（Ｒ2mi1−Ｒ2mi2）｜＜１．０    ・・・（１）
（ここで、
Ｒ2mi1：第２レンズ群の最像側レンズ素子の物体側の曲率半径、
Ｒ2mi2：第２レンズ群の最像側レンズ素子の像側の曲率半径
である）
を満足することを特徴とする。
【００１５】
また前記目的は、以下の撮像装置により達成される。すなわち本発明の撮像装置は、
被写体の光学的な像を電気的な画像信号に変換して出力可能な撮像装置であって、
前記被写体の光学的な像を変倍可能に形成するズームレンズ系と、
前記ズームレンズ系が形成した被写体の光学的な像を、電気的な画像信号に変換する撮像素子とを備え、
前記ズームレンズ系が、
被写体側である物体側から像側へと順に、
負のパワーを有する第１レンズ群と、
正のパワーを有し、最像側レンズ素子として、樹脂材料からなり、両凸形状を有するレンズ素子を含む第２レンズ群と、
正のパワーを有する第３レンズ群とを備え、
各レンズ群の間隔が変化するように各レンズ群を光軸に沿ってそれぞれ移動させて変倍を行い、
以下の条件（１）：
｜（Ｒ2mi1＋Ｒ2mi2）／（Ｒ2mi1−Ｒ2mi2）｜＜１．０    ・・・（１）
（ここで、
Ｒ2mi1：第２レンズ群の最像側レンズ素子の物体側の曲率半径、
Ｒ2mi2：第２レンズ群の最像側レンズ素子の像側の曲率半径
である）
を満足することを特徴とする。
【００１６】
さらに前記目的は、以下のカメラにより達成される。すなわち本発明のカメラは、
被写体を撮影して、電気的な画像信号として出力可能なカメラであって、
前記被写体の光学的な像を変倍可能に形成するズームレンズ系と、該ズームレンズ系が形成した被写体の光学的な像を、電気的な画像信号に変換する撮像素子とを含む撮像装置を備え、
前記ズームレンズ系が、
被写体側である物体側から像側へと順に、
負のパワーを有する第１レンズ群と、
正のパワーを有し、最像側レンズ素子として、樹脂材料からなり、両凸形状を有するレンズ素子を含む第２レンズ群と、
正のパワーを有する第３レンズ群とを備え、
各レンズ群の間隔が変化するように各レンズ群を光軸に沿ってそれぞれ移動させて変倍を行い、
以下の条件（１）：
｜（Ｒ2mi1＋Ｒ2mi2）／（Ｒ2mi1−Ｒ2mi2）｜＜１．０    ・・・（１）
（ここで、
Ｒ2mi1：第２レンズ群の最像側レンズ素子の物体側の曲率半径、
Ｒ2mi2：第２レンズ群の最像側レンズ素子の像側の曲率半径
である）
を満足することを特徴とする。
【発明の効果】
【００１７】
本発明によれば、解像度が高いのは勿論のこと、像面湾曲を補正する能力が高く、非使用時の光学全長が短いズームレンズ系を提供することができる。また本発明によれば、該ズームレンズ系を備えた、薄型で携帯性に優れ、高性能な撮像装置及び、例えばデジタルスチルカメラやデジタルビデオカメラ等の、薄型で携帯性に優れ、高性能なカメラを提供することができる。
【発明を実施するための最良の形態】
【００１８】
（実施の形態１〜４）
図１は、実施の形態１に係るズームレンズ系の構成図である。図３は、実施の形態２に係るズームレンズ系の構成図である。図５は、実施の形態３に係るズームレンズ系の構成図である。図７は、実施の形態４に係るズームレンズ系の構成図である。各構成図は、いずれも無限遠合焦状態にあるズームレンズ系を表している。各図において、（ａ）は、広角端（最短焦点距離状態：焦点距離ｆW）のレンズ構成、（ｂ）は略中間位置（中間焦点距離状態：焦点距離ｆM＝√（ｆW＊ｆT））、（ｃ）は望遠端（最長焦点距離状態：焦点距離ｆT）をそれぞれ表している。
【００１９】
実施の形態１〜４に係るズームレンズ系は、いずれも物体側から像側へと順に、負のパワーを有する第１レンズ群Ｇ１と、絞りＡと、正のパワーを有する第２レンズ群Ｇ２と、正のパワーを有する第３レンズ群Ｇ３とを備える。実施の形態１〜４に係るズームレンズ系は、広角端から望遠端へのズーミングに際し、第１レンズ群Ｇ１は像側に凸の軌跡を描いて移動し、第２レンズ群Ｇ２及び絞りＡは単調に物体側に移動し、第３レンズ群Ｇ３は、単調に像側に移動している。このように、実施の形態１〜４に係るズームレンズ系は、広角端から望遠端へのズーミングに際し、各レンズ群の間隔が変化するように各レンズ群が光軸に沿ってそれぞれ移動している。
【００２０】
また実施の形態１〜４に係るズームレンズ系では、第１レンズ群Ｇ１及び第２レンズ群Ｇ２で主に変倍を行い、第３レンズ群Ｇ３でフォーカシングを行っている。また絞りＡは、第２レンズ群Ｇ２の物体側に配置され、第２レンズ群Ｇ２の最物体側面と同じ位置にあるので、第１レンズ群Ｇ１と第２レンズ群Ｇ２との間隔を短くすることが可能であり、ズームレンズ系全体の薄型化や倍率の確保に有利である。
【００２１】
図１、図３、図５及び図７において、最も右側に記載された直線は、例えばＣＣＤ等の撮像素子の像面Ｓの位置を表し、その物体側には光学的ローパスフィルタや撮像素子のフェースプレート等と等価な平行平板やカバーガラスといったプレートＰを２枚設けている。
【００２２】
前記光学的ローパスフィルタは、水晶等の複屈折特性を有する材料を用いて構成されている。例えばＣＣＤ等の固体撮像素子はズームレンズ系にて形成された物体像を低開口率の２次元サンプリング画像として取り込むため、サンプリング周波数の２分の１以上の高周波は偽信号となってしまう。このような像の高周波成分をあらかじめ除去するために、かかる光学的ローパスフィルタは、第３レンズ群Ｇ３の最像側レンズ素子と像面Ｓとの間に配置することが好ましい。またさらに好ましくは、一般に固体撮像素子は赤外領域の光にも高い感度を有するので、自然な色再現を行うためにも、光学的ローパスフィルタには、赤外線吸収材料を用いて形成したり、赤外線吸収材料をコーティングするなどして、光の赤外領域をカットする赤外線カット機能を付与することが好ましい。
【００２３】
なお前記のごときプレートＰは、必ずしも常時備えられるべきものではなく、必要に応じて適宜配置すればよい。
【００２４】
図１に示すように、実施の形態１に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２との２枚で構成される。第１レンズ素子Ｌ１は、その像側面（面２）が非球面であり、第２レンズ素子Ｌ２は、その物体側面（面３）が非球面である。
【００２５】
また実施の形態１に係るズームレンズ系において、第２レンズ群Ｇ２は、物体側から像側へと順に、両凸形状の第３レンズ素子Ｌ３（レンズ素子Ａ）と、両凹形状の第４レンズ素子Ｌ４（レンズ素子Ｂ）と両凸形状の第５レンズ素子Ｌ５（最像側レンズ素子、レンズ素子Ｃ）との３枚で構成される。これらのうち、第３レンズ素子Ｌ３と第４レンズ素子Ｌ４とは互いに接合された接合レンズ素子である。
【００２６】
本実施の形態１に係るズームレンズ系では、前記第３レンズ素子Ｌ３及び第４レンズ素子Ｌ４は、ガラス材料からなり、第５レンズ素子Ｌ５は、例えばアクリル系樹脂等の樹脂材料からなる。また第３レンズ素子Ｌ３は、その物体側面（面６）が非球面であり、第５レンズ素子Ｌ５は、その物体側面（面９）が非球面である。
【００２７】
また実施の形態１に係るズームレンズ系において、第３レンズ群Ｇ３は、両凸形状の第６レンズ素子Ｌ６のみで構成される。第６レンズ素子Ｌ６は、ガラス材料からなり、その両面（面１１、１２）が非球面である。
【００２８】
図３に示すように、実施の形態２に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２との２枚で構成される。第１レンズ素子Ｌ１は、その像側面（面２）が非球面であり、第２レンズ素子Ｌ２は、その物体側面（面３）が非球面である。
【００２９】
また実施の形態２に係るズームレンズ系において、第２レンズ群Ｇ２は、物体側から像側へと順に、両凸形状の第３レンズ素子Ｌ３（レンズ素子Ａ）と、両凹形状の第４レンズ素子Ｌ４（レンズ素子Ｂ）と両凸形状の第５レンズ素子Ｌ５（最像側レンズ素子、レンズ素子Ｃ）との３枚で構成される。これらのうち、第３レンズ素子Ｌ３と第４レンズ素子Ｌ４とは互いに接合された接合レンズ素子である。
【００３０】
本実施の形態２に係るズームレンズ系では、前記第３レンズ素子Ｌ３及び第４レンズ素子Ｌ４は、ガラス材料からなり、第５レンズ素子Ｌ５は、例えばアクリル系樹脂等の樹脂材料からなる。また第３レンズ素子Ｌ３は、その物体側面（面６）が非球面であり、第５レンズ素子Ｌ５は、その物体側面（面９）が非球面である。
【００３１】
また実施の形態２に係るズームレンズ系において、第３レンズ群Ｇ３は、両凸形状の第６レンズ素子Ｌ６のみで構成される。第６レンズ素子Ｌ６は、ガラス材料からなり、その両面（面１１、１２）が非球面である。
【００３２】
図５に示すように、実施の形態３に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２との２枚で構成される。第１レンズ素子Ｌ１は、その像側面（面２）が非球面であり、第２レンズ素子Ｌ２は、その像側面（面４）が非球面である。
【００３３】
また実施の形態３に係るズームレンズ系において、第２レンズ群Ｇ２は、物体側から像側へと順に、両凸形状の第３レンズ素子Ｌ３（レンズ素子Ａ）と、両凹形状の第４レンズ素子Ｌ４（レンズ素子Ｂ）と両凸形状の第５レンズ素子Ｌ５（最像側レンズ素子、レンズ素子Ｃ）との３枚で構成される。これらのうち、第３レンズ素子Ｌ３と第４レンズ素子Ｌ４とは互いに接合された接合レンズ素子である。
【００３４】
本実施の形態３に係るズームレンズ系では、前記第３レンズ素子Ｌ３及び第４レンズ素子Ｌ４は、ガラス材料からなり、第５レンズ素子Ｌ５は、例えばアクリル系樹脂等の樹脂材料からなる。また第３レンズ素子Ｌ３は、その物体側面（面６）が非球面であり、第５レンズ素子Ｌ５は、その物体側面（面９）が非球面である。
【００３５】
また実施の形態３に係るズームレンズ系において、第３レンズ群Ｇ３は、両凸形状の第６レンズ素子Ｌ６のみで構成される。第６レンズ素子Ｌ６は、ガラス材料からなり、その像側面（面１２）が非球面である。
【００３６】
図７に示すように、実施の形態４に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２との２枚で構成される。第１レンズ素子Ｌ１は、その像側面（面２）が非球面であり、第２レンズ素子Ｌ２は、その物体側面（面３）が非球面である。
【００３７】
また実施の形態４に係るズームレンズ系において、第２レンズ群Ｇ２は、物体側から像側へと順に、両凸形状の第３レンズ素子Ｌ３（レンズ素子Ａ）と、両凹形状の第４レンズ素子Ｌ４（レンズ素子Ｂ）と両凸形状の第５レンズ素子Ｌ５（最像側レンズ素子、レンズ素子Ｃ）との３枚で構成される。これらのうち、第３レンズ素子Ｌ３と第４レンズ素子Ｌ４とは互いに接合された接合レンズ素子である。
【００３８】
本実施の形態４に係るズームレンズ系では、前記第３レンズ素子Ｌ３及び第４レンズ素子Ｌ４は、ガラス材料からなり、第５レンズ素子Ｌ５は、例えばアクリル系樹脂等の樹脂材料からなる。また第３レンズ素子Ｌ３は、その物体側面（面６）が非球面であり、第５レンズ素子Ｌ５は、その物体側面（面９）が非球面である。
【００３９】
また実施の形態４に係るズームレンズ系において、第３レンズ群Ｇ３は、両凸形状の第６レンズ素子Ｌ６のみで構成される。第６レンズ素子Ｌ６は、ガラス材料からなり、その両面（面１１、１２）が非球面である。
【００４０】
このように、実施の形態１〜４に係るズームレンズ系は、各レンズ群Ｇ１〜Ｇ３を所望のパワー配置にすることにより、優れた光学性能を保持しつつ、レンズ系全体の小型化を可能にしている。
【００４１】
実施の形態１〜４に係るズームレンズ系では、第１レンズ群Ｇ１を２枚のレンズ素子で構成し、第２レンズ群Ｇ２を３枚のレンズ素子で構成し、第３レンズ群Ｇ３を１枚のレンズ素子で構成している。このように、実施の形態１〜４に係るズームレンズ系は、各レンズ群を構成しているレンズ素子の枚数が少なく、レンズ系全体の厚みに直接影響する各レンズ群の厚みが小さいので、特に沈胴時の薄型化が可能である。
【００４２】
また実施の形態１〜４のように、物体側から像側へと順に、負のパワーを有する第１レンズ群と、正のパワーを有し、最像側レンズ素子として、樹脂材料からなり、両凸形状を有するレンズ素子を含む第２レンズ群と、正のパワーを有する第３レンズ群とを備えたズームレンズ系において、変倍に際して、各レンズ群の間隔が変化するように第１〜第３レンズ群を光軸に沿って移動させることで、変倍比３〜４倍程度のズームレンズ系をコンパクトに構成することができる。さらに、第２レンズ群の最像側レンズ素子として、樹脂材料からなる両凸形状のレンズ素子を使用することで、ズームレンズ系の軽量化と、特に望遠端付近の像面湾曲の補正とを良好に行うことができる。
【００４３】
以下、例えば実施の形態１〜４に係るズームレンズ系のように、物体側から像側へと順に、負のパワーを有する第１レンズ群と、正のパワーを有し、最像側レンズ素子として、樹脂材料からなり、両凸形状を有するレンズ素子を含む第２レンズ群と、正のパワーを有する第３レンズ群とを備え、各レンズ群の間隔が変化するように各レンズ群を光軸に沿ってそれぞれ移動させて変倍を行うズームレンズ系が満足すべき条件を説明する。なお、各実施の形態に係るズームレンズ系において、複数の満足すべき条件が規定されるが、各条件すべてを満足するズームレンズ系の構成が最も望ましい。しかしながら、個別の条件を満足することにより、それぞれ対応する効果を奏するズームレンズ系を得ることが可能である。
【００４４】
例えば実施の形態１〜４に係るズームレンズ系のごときズームレンズ系は、以下の条件（１）を満足することを特徴とする。
｜（Ｒ2mi1＋Ｒ2mi2）／（Ｒ2mi1−Ｒ2mi2）｜＜１．０    ・・・（１）
ここで、
Ｒ2mi1：第２レンズ群の最像側レンズ素子の物体側の曲率半径、
Ｒ2mi2：第２レンズ群の最像側レンズ素子の像側の曲率半径
である。
【００４５】
前記条件（１）は、第２レンズ群の最像側レンズ素子のシェイプファクターである。条件（１）を満足しない場合には、最像側レンズ素子の両側でのパワーの差が大きくなり、パワーの強い面で大きな像面湾曲が発生し、全体的な性能を確保することができなくなる。
【００４６】
なお、さらに以下の条件（１）’を満足することにより、レンズ素子の組み立てにおいて、誤差による収差の発生を小さくすることができ、それによる性能劣化の敏感度を低くすることで、組み立て後のズームレンズ系の光学性能のバラツキを抑えることができる。
｜（Ｒ2mi1＋Ｒ2mi2）／（Ｒ2mi1−Ｒ2mi2）｜＜０．５    ・・・（１）’
【００４７】
例えば実施の形態１〜４に係るズームレンズ系のごときズームレンズ系は、以下の条件（２）を満足することが好ましい。
（ＴG1＋ＴG2＋ＴG3）／ｆW＜２．７    ・・・（２）
（ただし、ωW＞３０°、３．０＜ｆT／ｆW＜４．０である）
ここで、
ＴG1：第１レンズ群の光軸上の厚み、
ＴG2：第２レンズ群の光軸上の厚み、
ＴG3：第３レンズ群の光軸上の厚み、
ωW：広角端における半画角、
ｆW：広角端における全系の焦点距離、
ｆT：望遠端における全系の焦点距離
である。
【００４８】
前記条件（２）は、沈胴時における第１〜第３レンズ群の光軸上の厚みに関する条件である。沈胴時の鏡胴の長さを短くするには、各レンズ群の光軸上の長さ（厚み）を短くすることが最も効果的である。該条件（２）を満足するように各レンズ群の厚みを設定することで、沈胴時の鏡胴全長をより短くすることができ、コンパクトなスタイリッシュカメラにさらに適したズームレンズ系が得られる。
【００４９】
なお、さらに以下の条件（２）’を満足することにより、前記効果をさらに奏功させることができる。
（ＴG1＋ＴG2＋ＴG3）／ｆW＜２．３    ・・・（２）’
（ただし、ωW＞３０°、３．０＜ｆT／ｆW＜４．０である）
【００５０】
例えば実施の形態１〜４に係るズームレンズ系のように、第１レンズ群が、物体側から像側へと順に、負のパワーを有する第１レンズ素子と、正のパワーを有する第２レンズ素子とからなるズームレンズ系は、以下の条件（３）を満足することが好ましい。
０．３＜Ｔ1／ｆW＜１．３    ・・・（３）
（ただし、ωW＞３０°、３．０＜ｆT／ｆW＜４．０である）
ここで、
Ｔ1：第１レンズ素子と第２レンズ素子との間の空気間隔、
ωW：広角端における半画角、
ｆW：広角端における全系の焦点距離、
ｆT：望遠端における全系の焦点距離
である。
【００５１】
前記第１レンズ群を、物体側から像側へと順に、負のパワーを有する第１レンズ素子と、正のパワーを有する第２レンズ素子とからなる構成とすることで、特に広角端での色収差及び非点収差を良好に除去することができる。さらに前記条件（３）を満足することで、よりコンパクトでさらに収差性能に優れたズームレンズ系を実現することができる。
【００５２】
条件（３）の下限値を下回ると、第１レンズ素子と第２レンズ素子との間の空気間隔が小さくなりすぎ、画角確保のためにパワーが強くなった第１レンズ素子後面と第２レンズ素子前面との形状的な干渉が発生し易く、必要な像面照度を確保することが困難となる。逆に条件（３）の上限値を上回ると、第１レンズ群の間隔が大きくなり、沈胴時のコンパクト性が低下する恐れがある。
【００５３】
なお、さらに以下の条件（３）’を満足することにより、前記効果をさらに奏功させることができる。
Ｔ1／ｆW＜０．７    ・・・（３）’
（ただし、ωW＞３０°、３．０＜ｆT／ｆW＜４．０である）
【００５４】
例えば実施の形態１〜４に係るズームレンズ系のように、第１レンズ群が、物体側から像側へと順に、負のパワーを有する第１レンズ素子と、正のパワーを有する第２レンズ素子とからなるズームレンズ系は、以下の条件（４）を満足することが好ましい。
−４．２＜（Ｒ12＋Ｒ21）／（Ｒ12−Ｒ21）＜−３．２    ・・・（４）
ここで、
Ｒ12：第１レンズ素子の像側の曲率半径、
Ｒ21：第２レンズ素子の物体側の曲率半径
である。
【００５５】
前記第１レンズ群を、物体側から像側へと順に、負のパワーを有する第１レンズ素子と、正のパワーを有する第２レンズ素子とからなる構成とすることで、前記したように、特に広角端での色収差及び非点収差を良好に除去することができる。さらに前記条件（４）を満足することで、より全体的な性能に優れたズームレンズ系を実現することができる。
【００５６】
条件（４）の下限値を下回ると、第１レンズ素子の像側の曲率半径が相対的に弱くなり、第１レンズ群として必要な負のパワーを維持することが困難となり、ズームレンズ系のコンパクト性が低下する恐れがある。逆に条件（４）の上限値を上回ると、第１レンズ素子の像側の曲率半径が相対的に強くなり、負の歪曲を小さくすることが困難となる。
【００５７】
なお、さらに以下の条件（４）’及び（４）’’の少なくとも１つを満足することにより、前記効果をさらに奏功させることができる。
−４．０＜（Ｒ12＋Ｒ21）／（Ｒ12−Ｒ21）    ・・・（４）’
（Ｒ12＋Ｒ21）／（Ｒ12−Ｒ21）＜−３．５    ・・・（４）’’
【００５８】
例えば実施の形態１〜４に係るズームレンズ系のように、第１レンズ群が、物体側から像側へと順に、負のパワーを有する第１レンズ素子と、正のパワーを有する第２レンズ素子とからなるズームレンズ系は、以下の条件（５）を満足することが好ましい。
ｎｄ2＞１．８８    ・・・（５）
ここで、
ｎｄ2：第２レンズ素子のｄ線における屈折率
である。
【００５９】
前記第１レンズ群を、物体側から像側へと順に、負のパワーを有する第１レンズ素子と、正のパワーを有する第２レンズ素子とからなる構成とすることで、前記したように、特に広角端での色収差及び非点収差を良好に除去することができる。さらに前記条件（５）を満足することで、各面の曲率を緩くすることができ、特に広角端の像面湾曲の補正がより容易になるとともに、レンズ心厚を小さくすることができ、さらなるコンパクト化を実現することができる。
【００６０】
なお、さらに以下の条件（５）’を満足することにより、前記効果をさらに奏功させることができる。
ｎｄ2＞１．９０    ・・・（５）’
【００６１】
また、以下の条件（５）’’を満足することにより、第１レンズ群のパワーを大きくすることが可能であり、これにより、変倍率及び光学性能が共により高いコンパクトなズームレンズ系を構成することができる。
２．５０＞ｎｄ2    ・・・（５）’’
【００６２】
例えば実施の形態１〜４に係るズームレンズ系のように、第２レンズ群が、物体側から像側へと順に、ガラス材料からなるレンズ素子Ａと、ガラス材料からなるレンズ素子Ｂと、樹脂材料からなるレンズ素子Ｃとからなるズームレンズ系は、以下の条件（６）を満足することが好ましい。
２．０＜φA／φC＜３．５    ・・・（６）
ここで、
φA：レンズ素子Ａの近軸パワー、
φC：レンズ素子Ｃの近軸パワー
である。
【００６３】
前記第２レンズ群を、物体側から像側へと順に、ガラス材料からなるレンズ素子Ａと、ガラス材料からなるレンズ素子Ｂと、樹脂材料からなるレンズ素子Ｃとからなる構成とすることで、よりコンパクトで、性能が良好に補正されたズームレンズ系を実現することができる。また第２レンズ群を構成するレンズ素子の枚数をできる限り少なくすることは、特に沈胴時の厚みを小さくする効果がある。さらにその中の１枚を樹脂材料からなるレンズ素子とすることで、さらなる軽量化とコストダウンとを両立させることができる。
【００６４】
前記条件（６）の下限値を下回ると、レンズ素子Ｃのパワーが第２レンズ群内で大きくなりすぎ、レンズ素子Ｃによって補正される収差が大きくなるため、レンズ素子Ｃの成形が困難となる。また、組み立てにおける誤差の性能劣化の敏感度が高くなり、組み立てが困難となる。逆に条件（６）の上限値を上回ると、レンズ素子Ａのパワーが大きくなるため、光学性能を維持するには、レンズ素子Ａの厚みを大きくしなければならず、コンパクト性が低下する。また、レンズ素子Ａの厚みを小さく維持しようとすると、レンズ素子Ａで発生する収差を充分に補正することができず、高い光学性能を維持することが困難となる。
【００６５】
なお、さらに以下の条件（６）’及び（６）’’の少なくとも１つを満足することにより、前記効果をさらに奏功させることができる。
２．３＜φA／φC    ・・・（６）’
φA／φC＜３．２    ・・・（６）’’
【００６６】
例えば実施の形態１〜４に係るズームレンズ系のように、第２レンズ群が、物体側から像側へと順に、ガラス材料からなるレンズ素子Ａと、ガラス材料からなるレンズ素子Ｂと、樹脂材料からなるレンズ素子Ｃとからなり、これらレンズ素子Ａ及びレンズ素子Ｃがいずれも非球面を有するズームレンズ系は、以下の条件（７）を満足することが好ましい。
０．１５＜φAa／φCa＜０．３０    ・・・（７）
ここで、
φAa：レンズ素子Ａの非球面の近軸パワー、
φCa：レンズ素子Ｃの非球面の近軸パワー
である。
【００６７】
前記第２レンズ群を、物体側から像側へと順に、ガラス材料からなるレンズ素子Ａと、ガラス材料からなるレンズ素子Ｂと、樹脂材料からなるレンズ素子Ｃとからなる構成とすることで、前記したように、よりコンパクトで、性能が良好に補正されたズームレンズ系を実現することができる。また第２レンズ群を構成するレンズ素子の枚数をできる限り少なくすることは、特に沈胴時の厚みを小さくする効果がある。またその中の１枚を樹脂材料からなるレンズ素子とすることで、さらなる軽量化とコストダウンとを両立させることができる。さらにガラス材料からなる２枚のレンズ素子のうち、物体側に位置するレンズ素子Ａと、樹脂材料からなるレンズ素子Ｃとに、非球面が含まれることで、各画角での像面位置を揃えることが可能になり、より良好な光学性能を得ることができる。
【００６８】
前記条件（７）の下限値を下回ると、レンズ素子Ｃのパワーが第２レンズ群内で大きくなりすぎ、レンズ素子Ｃの非球面によって補正される収差が大きくなるため、レンズ素子Ｃの成形が困難となる。また、組み立てにおける誤差の性能劣化の敏感度が高くなり、組み立てが困難となる。逆に条件（７）の上限値を上回ると、レンズ素子Ａのパワーが大きくなるため、光学性能を維持するには、レンズ素子Ａの厚みを大きくしなければならず、コンパクト性が低下する。また、レンズ素子Ａの厚みを小さく維持しようとすると、レンズ素子Ａで発生する収差を充分に補正することができず、高い光学性能を維持することが困難となる。
【００６９】
なお、さらに以下の条件（７）’及び（７）’’の少なくとも１つを満足することにより、前記効果をさらに奏功させることができる。
０．１９＜φAa／φCa    ・・・（７）’
φAa／φCa＜０．２５    ・・・（７）’’
【００７０】
なお前記条件（６）及び（７）は、各々単独で満足してもよく、双方を同時に満足してもよい。いずれか一方の条件を満足することにより、よりコンパクトで、性能が良好に補正されたズームレンズ系を実現することができるが、双方を同時に満足した場合には、その効果はさらに奏功される。
【００７１】
実施の形態１〜４に係るズームレンズ系を構成している各レンズ群は、入射光線を屈折により偏向させる屈折型レンズ素子（すなわち、異なる屈折率を有する媒質同士の界面で偏向が行われるタイプのレンズ素子）のみで構成されているが、これに限らない。例えば、回折により入射光線を偏向させる回折型レンズ素子、回折作用と屈折作用との組み合わせで入射光線を偏向させる屈折・回折ハイブリッド型レンズ素子、入射光線を媒質内の屈折率分布により偏向させる屈折率分布型レンズ素子等で、各レンズ群を構成してもよい。
【００７２】
また実施の形態１〜４に係るズームレンズ系では、第３レンズ群を１枚のレンズ素子で構成したが、かかる第３レンズ群が正のパワーを有する限り、構成するレンズ素子の枚数には特に限定がない。しかしながら、レンズ系全体の薄型化を考慮すると、第３レンズ群が１枚のレンズ素子から構成され、ズームレンズ系全体が最小限度６枚のレンズ素子から構成されることが特に好ましい。特に第３レンズ群が、ガラス材料からなる１枚のレンズ素子で構成されることで、より良好なフォーカシング性能を有するズームレンズ系を実現することができる。
【００７３】
さらに実施の形態１〜４に係るズームレンズ系において、反射面を光路中に配置することにより、ズームレンズ系の前、後又は途中で光路を折り曲げてもよい。折り曲げ位置は必要に応じて設定すればよく、光路の適正な折り曲げにより、カメラを見かけ上、さらに薄型化することが可能である。
【００７４】
以上説明したように、本発明によれば、高画素の撮像素子に対応し得る高い光学性能を有するだけでなく、全長が短く薄型化が図られたズームレンズ系を得ることができる。
【００７５】
（実施の形態５）
図９は、実施の形態５に係る、カメラの一例であるデジタルスチルカメラの概略斜視図である。図９において、デジタルスチルカメラは、本体９０１と、ズームレンズ系及びＣＣＤやＣＭＯＳ等の撮像素子を備えた撮像装置９０２と、光学式別体ファインダー９０３と、ストロボ９０４と、レリースボタン９０５とから構成され、撮像装置９０２のズームレンズ系として、実施の形態１に係るズームレンズ系が用いられている。
【００７６】
このように、デジタルスチルカメラに実施の形態１に係るズームレンズ系を用いることにより、薄型で携帯性に優れ、高性能なデジタルスチルカメラを提供することができる。なお、図９に示したデジタルスチルカメラには、実施の形態１に係るズームレンズ系の替わりに実施の形態２〜４に係るズームレンズ系のいずれかを用いてもよい。また、図９に示したデジタルスチルカメラの光学系は、動画像を対象とするデジタルビデオカメラに用いることもできる。この場合、静止画像だけでなく、解像度の高い動画像を撮影することができる。
【００７７】
また、以上説明した実施の形態１〜４に係るズームレンズ系と、ＣＣＤやＣＭＯＳ等の撮像素子とから構成される撮像装置を、携帯電話機器、ＰＤＡ（Ｐｅｒｓｏｎａｌ  Ｄｉｇｉｔａｌ  Ａｓｓｉｓｔａｎｃｅ）、監視システムにおける監視カメラ、Ｗｅｂカメラ、車載カメラ等に適用することもできる。
【００７８】
以下に、実施の形態１〜４に係るズームレンズ系を具体的に実施した数値実施例を説明する。なお、各数値実施例において、表中の長さの単位はすべてｍｍであり、ｒは曲率半径、ｄは面間隔、ｎｄはｄ線における屈折率、νｄはｄ線におけるアッベ数を示す。また、各数値実施例において、＊印を付した面は非球面であり、非球面のサグｚは次式で定義している。
【数１】
2008185835.tif 000003
ここで、光軸を像面側に向かう方向の軸がｚ軸、光軸に対して垂直に離れる方向の軸がＨ軸の円筒座標系とし、
ＣＲ：近軸曲率半径（ｍｍ）、
Ｋ：コーニック係数、
Ａｎ：ｎ次非球面係数
である。
【００７９】
（実施例１）
実施例１のズームレンズ系は、図１に示した実施の形態１に対応する。実施例１のズームレンズ系のレンズデータを表１に、撮影距離が∞の場合の、焦点距離ｆ、ＦナンバーＦＮｏ、光学全長Ｌ、半画角ω及び可変面間隔データｄ４、ｄ１０、ｄ１２を表２に、非球面データを表３に示す。
【表１】
2008185835.tif 000004
【表２】
2008185835.tif 000005
【表３】
2008185835.tif 000006
【００８０】
（実施例２）
実施例２のズームレンズ系は、図３に示した実施の形態２に対応する。実施例２のズームレンズ系のレンズデータを表４に、撮影距離が∞の場合の、焦点距離ｆ、ＦナンバーＦＮｏ、光学全長Ｌ、半画角ω及び可変面間隔データｄ４、ｄ１０、ｄ１２を表５に、非球面データを表６に示す。
【表４】
2008185835.tif 000007
【表５】
2008185835.tif 000008
【表６】
2008185835.tif 000009
【００８１】
（実施例３）
実施例３のズームレンズ系は、図５に示した実施の形態３に対応する。実施例３のズームレンズ系のレンズデータを表７に、撮影距離が∞の場合の、焦点距離ｆ、ＦナンバーＦＮｏ、光学全長Ｌ、半画角ω及び可変面間隔データｄ４、ｄ１０、ｄ１２を表８に、非球面データを表９に示す。
【表７】
2008185835.tif 000010
【表８】
2008185835.tif 000011
【表９】
2008185835.tif 000012
【００８２】
（実施例４）
実施例４のズームレンズ系は、図７に示した実施の形態４に対応する。実施例４のズームレンズ系のレンズデータを表１０に、撮影距離が∞の場合の、焦点距離ｆ、ＦナンバーＦＮｏ、光学全長Ｌ、半画角ω及び可変面間隔データｄ４、ｄ１０、ｄ１２を表１１に、非球面データを表１２に示す。
【表１０】
2008185835.tif 000013
【表１１】
2008185835.tif 000014
【表１２】
2008185835.tif 000015
【００８３】
以下の表１３に、実施例１〜４における各条件の対応値を示す。
【表１３】
2008185835.tif 000016
【００８４】
図２は、実施例１のズームレンズ系の縦収差図である。図４は、実施例２のズームレンズ系の縦収差図である。図６は、実施例３のズームレンズ系の縦収差図である。図８は、実施例４のズームレンズ系の縦収差図である。
【００８５】
各縦収差図において、（ａ）は広角端、（ｂ）は略中間位置、（ｃ）は望遠端における各収差を表す。各縦収差図は、左側から順に、球面収差、非点収差、歪曲収差、軸上色収差、倍率色収差を示す。球面収差図において、縦軸はＦナンバーを表し、実線はｄ線の特性である。非点収差図において、縦軸は半画角ωを表し、実線はサジタル平面（図中、ｓで示す）、破線はメリディオナル平面（図中、ｍで示す）の特性である。歪曲収差図において、縦軸は半画角ωを表す。軸上色収差図において、縦軸はＦナンバーを表し、実線はｄ線、短破線はＦ線、長破線はＣ線の特性である。倍率色収差図において、縦軸は半画角ωを表し、短破線はＦ線、長破線はＣ線の特性である。
【００８６】
図２、図４、図６及び図８の各縦収差図から、実施例１〜４のズームレンズ系は、高解像度を実現するのに充分な収差補正能力を有していることがわかる。
【産業上の利用可能性】
【００８７】
本発明に係るズームレンズ系は、デジタルスチルカメラ、デジタルビデオカメラ、携帯電話機器、ＰＤＡ（Ｐｅｒｓｏｎａｌ  Ｄｉｇｉｔａｌ  Ａｓｓｉｓｔａｎｃｅ）、監視システムにおける監視カメラ、Ｗｅｂカメラ、車載カメラ等のカメラに適用することができ、特にデジタルスチルカメラ、デジタルビデオカメラ等の薄型で高画質が要求されるカメラに好適である。
【図面の簡単な説明】
【００８８】
【図１】実施の形態１（実施例１）に係るズームレンズ系の構成図
【図２】実施例１のズームレンズ系の縦収差図
【図３】実施の形態２（実施例２）に係るズームレンズ系の構成図
【図４】実施例２のズームレンズ系の縦収差図
【図５】実施の形態３（実施例３）に係るズームレンズ系の構成図
【図６】実施例３のズームレンズ系の縦収差図
【図７】実施の形態４（実施例４）に係るズームレンズ系の構成図
【図８】実施例４のズームレンズ系の縦収差図
【図９】実施の形態５に係るデジタルスチルカメラの概略斜視図
【符号の説明】
【００８９】
Ｇ１  第１レンズ群
Ｇ２  第２レンズ群
Ｇ３  第３レンズ群
Ｌ１  第１レンズ素子
Ｌ２  第２レンズ素子
Ｌ３  第３レンズ素子
Ｌ４  第４レンズ素子
Ｌ５  第５レンズ素子
Ｌ６  第６レンズ素子
Ａ  絞り
Ｐ  プレート
Ｓ  像面
９０１  本体
９０２  撮像装置
９０３  光学式別体ファインダー
９０４  ストロボ
９０５  レリースボタン
【図１】
2008185835.tif 000017
【図２】
2008185835.tif 000018
【図３】
2008185835.tif 000019
【図４】
2008185835.tif 000020
【図５】
2008185835.tif 000021
【図６】
2008185835.tif 000022
【図７】
2008185835.tif 000023
【図８】
2008185835.tif 000024
【図９】
2008185835.tif 000025